(57)【要約】  本開示の実施例は、ＰＵＣＣＨ衝突の処理方法及び端末を提供する。該方法において、マルチスロットＰＵＣＣＨ反復伝送に設定されて且つ搬送内容にＣＳＩ及びＳＲの一方が含まれる第１ＰＵＣＣＨと、シングルスロット又はマルチスロット反復伝送に設定されて且つ搬送内容にＣＳＩ又はＳＲの一方が含まれる第２ＰＵＣＣＨとは、１つ又は複数のスロットである第１スロット内でオーバーラップすると、前記第１ＰＵＣＣＨ及び前記第２ＰＵＣＣＨの少なくとも一方の設定に基づいて、前記第１ＰＵＣＣＨ及び前記第２ＰＵＣＣＨの一方を前記第１スロット内で伝送することを含む。【選択図】図２
2021529486.tif 000002
【特許請求の範囲】
【請求項１】
端末に応用されるＰＵＣＣＨ（Ｐｈｙｓｉｃａｌ  Ｕｐｌｉｎｋ  Ｃｏｎｔｒｏｌ  Ｃｈａｎｎｅｌ）衝突の処理方法であって、
マルチスロットＰＵＣＣＨ反復伝送に設定されて且つ搬送内容にＣＳＩ（Ｃｈａｎｎｅｌ  Ｓｔａｔｅ  Ｉｎｆｏｒｍａｔｉｏｎ）及びＳＲ（Ｓｃｈｅｄｕｌｉｎｇ  Ｒｅｑｕｅｓｔ）の一方が含まれる第１ＰＵＣＣＨと、シングルスロット又はマルチスロット反復伝送に設定されて且つ搬送内容にＣＳＩ又はＳＲの一方が含まれる第２ＰＵＣＣＨとは、１つ又は複数のスロットである第１スロット内でオーバーラップすると、前記第１ＰＵＣＣＨ及び前記第２ＰＵＣＣＨの少なくとも一方の設定に基づいて、前記第１ＰＵＣＣＨ及び前記第２ＰＵＣＣＨの一方を前記第１スロット内で伝送することを含む、ＰＵＣＣＨ衝突の処理方法。
【請求項２】
前記設定は、搬送内容の優先度、搬送内容の周期、開始時間、フォーマット及び伝送モードの少なくとも一方を含む、請求項１に記載のＰＵＣＣＨ衝突の処理方法。
【請求項３】
前記第１ＰＵＣＣＨ及び前記第２ＰＵＣＣＨの他方の伝送を遅延させるか、又は前記第１ＰＵＣＣＨ及び前記第２ＰＵＣＣＨの他方を前記衝突スロット内で破棄することを更に含む、請求項２に記載のＰＵＣＣＨ衝突の処理方法。
【請求項４】
前記設定に前記搬送内容の優先度が含まれると、前記第１ＰＵＣＣＨ及び前記第２ＰＵＣＣＨの一方を衝突スロット内で伝送することは、
前記第１ＰＵＣＣＨ及び前記第２ＰＵＣＣＨの搬送内容の優先度が異なる場合、前記第１ＰＵＣＣＨ及び前記第２ＰＵＣＣＨのうち、搬送内容の優先度が高いＰＵＣＣＨを衝突スロット内で伝送することを含み、
前記第１ＰＵＣＣＨ及び前記第２ＰＵＣＣＨの他方の伝送を遅延させるか、又は前記第１ＰＵＣＣＨ及び前記第２ＰＵＣＣＨの他方を前記衝突スロット内で破棄することは、
前記第１ＰＵＣＣＨ及び前記第２ＰＵＣＣＨに搬送される内容の優先度が異なる場合、前記第１ＰＵＣＣＨ及び前記第２ＰＵＣＣＨのうち、搬送内容の優先度が低いＰＵＣＣＨの伝送を遅延させるか、又は前記第１ＰＵＣＣＨ及び前記第２ＰＵＣＣＨのうち、搬送内容の優先度が低いＰＵＣＣＨを前記衝突スロット内で破棄することを含む、請求項３に記載のＰＵＣＣＨ衝突の処理方法。
【請求項５】
ＳＲの優先度がＣＳＩの優先度よりも高く、及び／又は、２つのＣＳＩの優先度は、予め定義された優先度規則で決められる、請求項４に記載のＰＵＣＣＨ衝突の処理方法。
【請求項６】
前記設定に前記搬送内容の周期が含まれると、前記第１ＰＵＣＣＨ及び前記第２ＰＵＣＣＨの一方を衝突スロット内で伝送することは、
前記第１ＰＵＣＣＨ及び前記第２ＰＵＣＣＨのうち、搬送内容の周期が短いＰＵＣＣＨを衝突スロット内で伝送することを含み、
前記第１ＰＵＣＣＨ及び前記第２ＰＵＣＣＨの他方の伝送を遅延させるか、又は前記第１ＰＵＣＣＨ及び前記第２ＰＵＣＣＨの他方を前記衝突スロット内で破棄することは、
前記第１ＰＵＣＣＨ及び前記第２ＰＵＣＣＨのうち、搬送内容の周期が長いＰＵＣＣＨの伝送を遅延させるか、又は前記第１ＰＵＣＣＨ及び前記第２ＰＵＣＣＨのうち、搬送内容の周期が長いＰＵＣＣＨを前記衝突スロット内で破棄することを含む、請求項３に記載のＰＵＣＣＨ衝突の処理方法。
【請求項７】
前記設定に前記開始時間が含まれると、前記第１ＰＵＣＣＨ及び前記第２ＰＵＣＣＨの一方を衝突スロット内で伝送することは、
前記第１ＰＵＣＣＨ及び前記第２ＰＵＣＣＨの搬送内容の優先度が同じである場合、前記第１ＰＵＣＣＨ及び前記第２ＰＵＣＣＨのうち、開始時間が早いＰＵＣＣＨを衝突スロット内で伝送することを含み、
前記第１ＰＵＣＣＨ及び前記第２ＰＵＣＣＨの他方の伝送を遅延させるか、又は前記第１ＰＵＣＣＨ及び前記第２ＰＵＣＣＨの他方を前記衝突スロット内で破棄することは、
前記第１ＰＵＣＣＨ及び前記第２ＰＵＣＣＨの搬送内容の優先度が同じである場合、前記第１ＰＵＣＣＨ及び前記第２ＰＵＣＣＨのうち、開始時間が遅いＰＵＣＣＨの伝送を遅延させるか、又は前記第１ＰＵＣＣＨ及び前記第２ＰＵＣＣＨのうち、開始時間が遅いＰＵＣＣＨを前記衝突スロット内で破棄することを含む、請求項３に記載のＰＵＣＣＨ衝突の処理方法。
【請求項８】
前記開始時間は、開始シンボルの位置及び開始スロットの位置の少なくとも一方を含む、請求項７に記載のＰＵＣＣＨ衝突の処理方法。
【請求項９】
前記第１ＰＵＣＣＨ及び前記第２ＰＵＣＣＨの少なくとも一方の設定は、前記第２ＰＵＣＣＨの設定であり、且つ該設定に前記フォーマットが含まれ、
ここで、前記第２ＰＵＣＣＨのフォーマットがフォーマット０又はフォーマット２である場合、前記第１ＰＵＣＣＨ及び前記第２ＰＵＣＣＨの一方を衝突スロット内で伝送することは、
前記第２ＰＵＣＣＨを衝突スロット内で伝送することを含み、
前記第１ＰＵＣＣＨ及び前記第２ＰＵＣＣＨの他方の伝送を遅延させるか、又は前記第１ＰＵＣＣＨ及び前記第２ＰＵＣＣＨの他方を前記衝突スロット内で破棄することは、
前記第１ＰＵＣＣＨの伝送を遅延させるか、又は前記第１ＰＵＣＣＨを前記衝突スロット内で破棄することを含む、請求項３に記載のＰＵＣＣＨ衝突の処理方法。
【請求項１０】
前記第１ＰＵＣＣＨ及び前記第２ＰＵＣＣＨの少なくとも一方の設定は、前記第２ＰＵＣＣＨの設定であり、且つ該設定に前記伝送モードが含まれ、
ここで、前記第２ＰＵＣＣＨの伝送モードがシングルスロット伝送である場合、前記第１ＰＵＣＣＨ及び前記第２ＰＵＣＣＨの一方を衝突スロット内で伝送することは、
前記第２ＰＵＣＣＨを衝突スロット内で伝送することを含み、
前記第１ＰＵＣＣＨ及び前記第２ＰＵＣＣＨの他方の伝送を遅延させるか、又は前記第１ＰＵＣＣＨ及び前記第２ＰＵＣＣＨの他方を前記衝突スロット内で破棄することは、
前記第１ＰＵＣＣＨの伝送を遅延させるか、又は前記第１ＰＵＣＣＨを前記衝突スロット内で破棄することを含む、請求項３に記載のＰＵＣＣＨ衝突の処理方法。
【請求項１１】
マルチスロットＰＵＣＣＨ反復伝送に設定されて且つ搬送内容にＣＳＩ及びＳＲの一方が含まれる第１ＰＵＣＣＨと、シングルスロット又はマルチスロット反復伝送に設定されて且つ搬送内容にＣＳＩ又はＳＲの一方が含まれる第２ＰＵＣＣＨとは、１つ又は複数のスロットである第１スロット内でオーバーラップすると、前記第１ＰＵＣＣＨ及び前記第２ＰＵＣＣＨの少なくとも一方の設定に基づいて、前記第１ＰＵＣＣＨ及び前記第２ＰＵＣＣＨの一方を前記第１スロット内で伝送する伝送モジュールを含む、端末。
【請求項１２】
メモリと、プロセッサと、前記メモリに記憶されて前記プロセッサで動作可能なプログラムとを含む端末であって、
前記プログラムが前記プロセッサによって実行されると、請求項１〜１０のいずれか１項に記載のＰＵＣＣＨ衝突の処理方法が実現される、端末。
【請求項１３】
コンピュータプログラムが記憶されているコンピュータ読み取り可能な記憶媒体であって、
前記コンピュータプログラムがプロセッサによって実行されると、請求項１〜１０のいずれか１項に記載のＰＵＣＣＨ衝突の処理方法が実現される、コンピュータ読み取り可能な記憶媒体。
【発明の詳細な説明】
【技術分野】
【０００１】
（関連出願の相互参照）
本願は、２０１８年７月４日に中国特許庁に提出された中国特許出願２０１８１０７２５４１２．Ｘの優先権を主張し、その全ての内容が援用によりここに取り込まれる。
本開示は、通信技術分野に係り、特にＰＵＣＣＨ（Ｐｈｙｓｉｃａｌ  Ｕｐｌｉｎｋ  Ｃｏｎｔｒｏｌ  Ｃｈａｎｎｅｌ）衝突の処理方法に係る。
【背景技術】
【０００２】
ＮＲ（Ｎｅｗ  Ｒａｄｉｏ）システムでは、長さが１又は２のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルである短いＰＵＣＣＨ（ｓｈｏｒｔ  ＰＵＣＣＨ）及び長さが４〜１４のＯＦＤＭシンボルである長いＰＵＣＣＨ（ｌｏｎｇ  ＰＵＣＣＨ）などの異なる長さのＰＵＣＣＨが導入される。また、カバレッジを増大させるために、ＮＲシステム内の一部のＰＵＣＣＨは、マルチスロットＰＵＣＣＨ反復（ｍｕｌｔｉ−ｓｌｏｔ  ＰＵＣＣＨ  ｒｅｐｅｔｉｔｉｏｎ）伝送をサポートすることができる。即ち、ＰＵＣＣＨは、複数の連続又は非連続スロット（ｓｌｏｔ）で反復伝送される。このように、ＰＵＣＣＨが複数の連続又は非連続スロット（ｓｌｏｔ）で反復伝送されるため、該ＰＵＣＣＨが他のＰＵＣＣＨと衝突する可能性がある。ここで、衝突とは、スロット内の２つのＰＵＣＣＨの時間領域上での衝突を指し、即ち、２つのＰＵＣＣＨが時間的にオーバーラップし、部分的に又は全体的にオーバーラップする。このように、ＰＵＣＣＨ衝突は、現在の緊急の解決すべき問題である。
【発明の概要】
【発明が解決しようとする課題】
【０００３】
本開示の実施例は、ＰＵＣＣＨ衝突の問題を解決するために、ＰＵＣＣＨ衝突の処理方法を提供する。
【課題を解決するための手段】
【０００４】
第１態様として、本開示の実施例は、端末に応用されるＰＵＣＣＨ衝突の処理方法を提供し、該方法が、マルチスロットＰＵＣＣＨ反復伝送（ｍｕｌｔｉ−ｓｌｏｔ  ＰＵＣＣＨ  ｒｅｐｅｔｉｔｉｏｎ）に設定されて且つ搬送内容にＣＳＩ（Ｃｈａｎｎｅｌ  Ｓｔａｔｅ  Ｉｎｆｏｒｍａｔｉｏｎ）及びＳＲ（Ｓｃｈｅｄｕｌｉｎｇ  Ｒｅｑｕｅｓｔ）の一方が含まれる第１ＰＵＣＣＨと、シングルスロット又はマルチスロット反復伝送に設定されて且つ搬送内容にＣＳＩ又はＳＲの一方が含まれる第２ＰＵＣＣＨとは、１つ又は複数のスロットである第１スロット内でオーバーラップすると、前記第１ＰＵＣＣＨ及び前記第２ＰＵＣＣＨの少なくとも一方の設定に基づいて、前記第１ＰＵＣＣＨ及び前記第２ＰＵＣＣＨの一方を前記第１スロット内で伝送することを含む。
【０００５】
第２態様として、本開示の実施例は、端末を提供し、該端末が、マルチスロットＰＵＣＣＨ反復伝送に設定されて且つ搬送内容にＣＳＩ及びＳＲの一方が含まれる第１ＰＵＣＣＨと、シングルスロット又はマルチスロット反復伝送に設定されて且つ搬送内容にＣＳＩ又はＳＲの一方が含まれる第２ＰＵＣＣＨとは、１つ又は複数のスロットである第１スロット内でオーバーラップすると、前記第１ＰＵＣＣＨ及び前記第２ＰＵＣＣＨの少なくとも一方の設定に基づいて、前記第１ＰＵＣＣＨ及び前記第２ＰＵＣＣＨの一方を前記第１スロット内で伝送する伝送モジュールを含む。
【０００６】
第３態様として、本開示の実施例は、メモリと、プロセッサと、前記メモリに記憶されて前記プロセッサで動作可能なプログラムとを含む端末を提供し、前記プログラムが前記プロセッサによって実行されると、本開示の実施例に係るＰＵＣＣＨ衝突の処理方法が実現される。
【０００７】
第４態様として、本開示の実施例は、コンピュータプログラムが記憶されているコンピュータ読み取り可能な記憶媒体を提供し、前記コンピュータプログラムがプロセッサによって実行されると、本開示の実施例に係るＰＵＣＣＨ衝突の処理方法が実現される。
【発明の効果】
【０００８】
本開示の実施例によれば、ＰＵＣＣＨ衝突の問題を解決して通信の有効性及び端末の性能を向上させることができる。
【０００９】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、進歩性のある作業をしない前提で、これらの図面から他の図面を得ることもできる。
【図面の簡単な説明】
【００１０】
【図１】本開示の実施例に応用可能なネットワークシステムの構造図である。
【図２】本開示の実施例に係るＰＵＣＣＨ衝突の処理方法のフローチャートである。
【図３】本開示の実施例に係る端末の構造図である。
【図４】本開示の実施例に係る別の端末の構造図である。
【発明を実施するための形態】
【００１１】
以下、本開示の実施例の図面とともに、本開示の実施例の技術手段を明確且つ完全的に記載する。明らかに、記載する実施例は、本開示の実施例の一部であり、全てではない。本開示の実施例に基づき、当業者が進歩性のある作業をしなくても為しえる全ての他の実施例は、いずれも本開示の保護範囲に属するものである。
【００１２】
本願の明細書及び特許請求の範囲における「含む」及びそのあらゆる変形は、非排他的な包含を意味する。例えば、一連のステップ又はユニットを含むプロセス、方法、システム、製品又は機器は、明確に列挙されているステップ又はユニットに限定されず、明確に列挙されていないステップやユニット、これらのプロセス、方法、製品又は機器に固有の他のステップやユニットを含んでもよい。また、明細書及び請求項に使用される「及び／又は」は、連結対象のうちの少なくとも１つを示す。例えばＡ及び／又はＢは、Ａのみ、Ｂのみ、及び、ＡとＢの両方の３種類のケースを示す。
【００１３】
本開示の実施例において、「例示的」又は「例えば」などの用語は、例、例証又は説明を示すことに用いられる。本開示の実施例において、「例示的」又は「例えば」で記載されるあらゆる実施例や設計手段は、ほかの実施例や設計手段より好適であり又は優位に立つというふうに解釈されてはならない。適切に言えば、「例示的」又は「例えば」などの用語は、具体的な方式で関連概念を示すという目的で使用される。
【００１４】
以下、本開示の実施例について図面を参照して紹介する。本開示の実施例に係るＰＵＣＣＨ衝突の処理方法及び端末は、無線通信システムに応用可能である。該無線通信システムは、５Ｇシステムを採用するか、ｅＬＴＥ（Ｅｖｏｌｖｅｄ  Ｌｏｎｇ  Ｔｅｒｍ  Ｅｖｏｌｕｔｉｏｎ）システム、又はその後の進化型通信システムである。
【００１５】
図１を参照すると、図１は、本開示の実施例に応用可能なネットワークシステムの構造図である。図１に示すように、端末１１と基地局１２とを含む。ここで、端末１１は、ユーザ端末ＵＥ（Ｕｓｅｒ  Ｅｑｕｉｐｍｅｎｔ）又は他の端末側機器であり、例えば、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、ＰＤＡ（ｐｅｒｓｏｎａｌ  ｄｉｇｉｔａｌ  ａｓｓｉｓｔａｎｔ）、ＭＩＤ（Ｍｏｂｉｌｅ  Ｉｎｔｅｒｎｅｔ  Ｄｅｖｉｃｅ）、ウェアラブルデバイス（Ｗｅａｒａｂｌｅ  Ｄｅｖｉｃｅ）などの端末側機器である。なお、本開示の実施例において、端末１１の具体的なタイプは、限定されない。上記基地局１２は、４Ｇ基地局、５Ｇ基地局、又は、後のバージョンの基地局、又は、他の通信システムの基地局、又は、ノードＢ、進化型ノードＢ、又は、当分野における他の用語であってもよい。同様の技術的効果を達成する限り、前記基地局は、特定の技術的用語に限定されない。なお、上記基地局１２は、ＭＮ（Ｍａｓｔｅｒ  Ｎｏｄｅ）でもよいし、ＳＮ（Ｓｅｃｏｎｄａｒｙ  Ｎｏｄｅ）でもよい。なお、本開示の実施例において単に５Ｇ基地局を例にとるが、基地局の具体的なタイプは、限定されない。
【００１６】
図２を参照すると、図２は、本開示の実施例に係るＰＵＣＣＨ衝突の処理方法のフローチャートである。この方法は、端末に応用され、図２に示すように、マルチスロットＰＵＣＣＨ反復伝送に設定されて且つ搬送内容にＣＳＩ（Ｃｈａｎｎｅｌ  Ｓｔａｔｅ  Ｉｎｆｏｒｍａｔｉｏｎ）及びＳＲ（Ｓｃｈｅｄｕｌｉｎｇ  Ｒｅｑｕｅｓｔ）の一方が含まれる第１ＰＵＣＣＨと、搬送内容にＣＳＩ又はＳＲの一方が含まれる第２ＰＵＣＣＨとは衝突すると、前記第１ＰＵＣＣＨ及び前記第２ＰＵＣＣＨの少なくとも一方の設定に基づいて、前記第１ＰＵＣＣＨ及び前記第２ＰＵＣＣＨの一方を衝突スロット内で伝送するステップ２０１を含む。
【００１７】
なお、本開示の実施例において、第１ＰＵＣＣＨ及び第２ＰＵＣＣＨとしては、ＰＵＣＣＨの時間的順番を限定するものではなく、ここで、第１と第２とは、異なるＰＵＣＣＨを区別するためのものに過ぎない。
【００１８】
ここで、上記第１ＰＵＣＣＨは、ロング（ｌｏｎｇ）ＰＵＣＣＨであってもよく、該ＰＵＣＣＨの長さは、４〜１４個のＯＦＤＭシンボルであり、且つ該ＰＵＣＣＨは、ＰＵＣＣＨフォーマット（ｆｏｒｍａｔ）１、又はＰＵＣＣＨフォーマット（ｆｏｒｍａｔ）３又はＰＵＣＣＨフォーマット（ｆｏｒｍａｔ）４などであってもよく、これについて限定しない。例えば、上記第１ＰＵＣＣＨは、ショート（ｓｈｏｒｔ）ＰＵＣＣＨであってもよい。
【００１９】
また、上記第１ＰＵＣＣＨは、マルチスロットＰＵＣＣＨ反復（ｍｕｌｔｉ−ｓｌｏｔ  ＰＵＣＣＨ  ｒｅｐｅｔｉｔｉｏｎ）伝送に設定され、マルチスロットＰＵＣＣＨ反復伝送をサポートするように、上記第１ＰＵＣＣＨを上位層シグナリングによって設定し（例えば、ネットワーク側でＲＲＣシグナリングによって設定する）、即ち、上記第１ＰＵＣＣＨは、連続又は非連続の複数のスロットで反復伝送され、その伝送回数は、上位層によって設定された回数である。もちろん、これについて、限定しない。例えば、上記第１ＰＵＣＣＨがマルチスロットＰＵＣＣＨ反復（ｍｕｌｔｉ−ｓｌｏｔ  ＰＵＣＣＨ  ｒｅｐｅｔｉｔｉｏｎ）伝送に設定されることは、プロトコルで予め定義されてもよい。
【００２０】
もちろん、上記第２ＰＵＣＣＨは、ロング（ｌｏｎｇ）ＰＵＣＣＨ又はショート（ｓｈｏｒｔ）ＰＵＣＣＨであってもよく、且つシングルスロット（ｓｉｎｇｌｅ−ｓｌｏｔ）又はマルチスロット反復（ｍｕｌｔｉ−ｓｌｏｔ  ＰＵＣＣＨ  ｒｅｐｅｔｉｔｉｏｎ）伝送に設定されるが、本開示の実施例において、これについて限定しない。
【００２１】
第１ＰＵＣＣＨと第２ＰＵＣＣＨとの衝突は、第１ＰＵＣＣＨと第２ＰＵＣＣＨとの時間領域の衝突であってもよい。即ち、第１スロット内において、第１ＰＵＣＣＨと第２ＰＵＣＣＨとは、時間領域で一部的に又は全体的にオーバーラップする。ここで、前記第１時間スロットは、ある１つ又は複数のスロットを含む。第１ＰＵＣＣＨと第２ＰＵＣＣＨが共にマルチスロット反復伝送である場合、第１ＰＵＣＣＨと第２ＰＵＣＣＨとは１つ又は複数のスロットで衝突する可能性がある。
【００２２】
上記第１ＰＵＣＣＨの搬送内容にＣＳＩ及びＳＲの一方が含まれるのは、上記第１ＰＵＣＣＨがＣＳＩ又はＳＲを伝送するためのものであり、第２ＰＵＣＣＨの搬送内容も同様であるということであってもよい。なお、第１ＰＵＣＣＨの搬送内容にＣＳＩが含まれ、且つ第２ＰＵＣＣＨの搬送内容にＣＳＩが含まれる場合、第１ＰＵＣＣＨに含まれるＣＳＩと第２ＰＵＣＣＨに含まれるＣＳＩとは、異なるＣＳＩであってもよい。
【００２３】
また、前記第１ＰＵＣＣＨ及び前記第２ＰＵＣＣＨの少なくとも一方の設定に基づいて、前記第１ＰＵＣＣＨ及び前記第２ＰＵＣＣＨの一方を衝突スロット内で伝送することは、第１ＰＵＣＣＨの設定及び第２ＰＵＣＣＨの設定に基づいて、衝突スロット内で伝送されるＰＵＣＣＨを決定し、又は、第１ＰＵＣＣＨの設定又は第２ＰＵＣＣＨの設定に基づいて、衝突スロット内で伝送されるＰＵＣＣＨを決定する。上記の前記第１ＰＵＣＣＨ及び前記第２ＰＵＣＣＨの一方を衝突スロット内で伝送することは、衝突スロット内で前記第１ＰＵＣＣＨ及び前記第２ＰＵＣＣＨの一方を伝送し、前記第１ＰＵＣＣＨ及び前記第２ＰＵＣＣＨの他方を破棄し又はその伝送を遅延させる。例えば、衝突スロット内で第１ＰＵＣＣＨを伝送し、第２ＰＵＣＣＨを破棄し、又は第２ＰＵＣＣＨの伝送を遅延させる。
【００２４】
上記ステップにより、第１ＰＵＣＣＨの搬送内容にＣＳＩ及びＳＲの一方が含まれ、且つ第２ＰＵＣＣＨの搬送内容にＣＳＩ又はＳＲの一方が含まれ、第１ＰＵＣＣＨがマルチスロットＰＵＣＣＨ反復伝送に設定される場合、衝突スロット内で前記第１ＰＵＣＣＨ及び前記第２ＰＵＣＣＨの一方を伝送することが実現できる。このように、衝突スロット内で前記第１ＰＵＣＣＨ及び前記第２ＰＵＣＣＨの一方を伝送することにより、ＰＵＣＣＨ衝突の問題を解決して通信の有効性及び端末の性能を向上させることができる。また、端末と基地局間の曖昧な問題を回避することができる。端末の上記挙動が明確に定義されてから、基地局は、端末の上記挙動を取得する（例えば、端末の挙動がプロトコルで定義される）ことで、端末と基地局との間の曖昧な問題を回避するので、通信システム全体の性能を向上させることができる。
【００２５】
選択的な実施形態において、前記設定は、搬送内容の優先度、搬送内容の周期、開始時間、フォーマット（ｆｏｒｍａｔ）及び伝送モードの少なくとも一方を含む。
【００２６】
ここで、上記搬送内容の優先度は、ＣＳＩの優先度又はＳＲの優先度である。ここで、ＣＳＩの優先度又はＳＲの優先度は、例えば、プロトコルで予め定義されるか、基地局により予め設定されるなど、予め設定されるものであってもよい。
【００２７】
上記搬送内容の周期は、ＣＳＩの周期又はＳＲの周期である。また、本開示の実施例において、ＣＳＩの周期又はＳＲの周期は、絶対周期長であってもよい。例えば、ＣＳＩとＳＲは、ＲＲＣシグナリングによって１つの周期が設定され、それらの周期長を比較する。又は、周期を長周期と短周期に分けるように定義し、ある値より大きくなると長周期とし、該値よりも小さくなると短周期とする。
【００２８】
上記開始時間は、ＰＵＣＣＨの開始シンボル及び開始スロットの少なくとも一方である。
【００２９】
上記フォーマットは、ＰＵＣＣＨのフォーマットであり、例えば、フォーマット０、フォーマット１、フォーマット２又はフォーマット４などであってもよい。
【００３０】
上記伝送モードは、シングルスロット（ｓｉｎｇｌｅ−ｓｌｏｔ）伝送又はマルチスロット（ｍｕｌｔｉ−ｓｌｏｔ）伝送であってもよい。ここで、マルチスロット（ｍｕｌｔｉ−ｓｌｏｔ）伝送は、マルチスロットＰＵＣＣＨ反復であってもよい。
【００３１】
本実施形態において、第１ＰＵＣＣＨ及び第２ＰＵＣＣＨの少なくとも一方の上記設定（搬送内容の優先度、搬送内容の周期、開始時間、フォーマット及び伝送モードの少なくとも一方）に基づいて、上記衝突スロット内で伝送されるＰＵＣＣＨを決定することが実現でき、伝送されるＰＵＣＣＨを柔軟に決定して端末の性能を向上させることができる。
【００３２】
なお、上記設定に搬送内容の優先度、搬送内容の周期、開始時間、フォーマット及び伝送モードのうちの複数が含まれる場合、これらの複数の内容の応用順番は、限定されない。例えば、上記設定に搬送内容の優先度及び搬送内容の周期が含まれる場合、まず搬送内容の優先度に基づいて、衝突スロット内で伝送されるＰＵＣＣＨを決定し、優先度が同じであれば、更に搬送内容の周期に基づいて、衝突スロット内で伝送されるＰＵＣＣＨを決定するか、まず搬送内容の周期に基づいて、衝突スロット内で伝送されるＰＵＣＣＨを決定し、搬送内容の周期が同じであれば、更に搬送内容の優先度に基づいて、衝突スロット内で伝送されるＰＵＣＣＨを決定する。
【００３３】
選択的な実施形態において、前記第１ＰＵＣＣＨ及び前記第２ＰＵＣＣＨの他方の伝送を遅延させるか、又は、前記第１ＰＵＣＣＨ及び前記第２ＰＵＣＣＨの他方を前記衝突スロット内で破棄する。即ち、前記第１ＰＵＣＣＨ及び前記第２ＰＵＣＣＨの他方を前記衝突スロット内で破棄し、又は、前記第１ＰＵＣＣＨ及び前記第２ＰＵＣＣＨの他方の伝送を遅延させる。
【００３４】
ここで、上記の他方は、上記衝突スロット内で上記第１ＰＵＣＣＨ及び前記第２ＰＵＣＣＨのうち、伝送されないＰＵＣＣＨを指し、該ＰＵＣＣＨを破棄することは、上記衝突スロット内で該ＰＵＣＣＨを破棄し、該ＰＵＣＣＨの搬送内容も破棄する。且つ破棄されるＰＵＣＣＨが第１ＰＵＣＣＨである場合、破棄された第１ＰＵＣＣＨに対し、衝突スロットの後に補完伝送を行わなくてもよい。又は、上記衝突スロットの後に、破棄された第１ＰＵＣＣＨに対し、補完伝送を行う。
【００３５】
上記の前記第１ＰＵＣＣＨ及び前記第２ＰＵＣＣＨの他方の伝送を遅延させるのは、上記衝突スロットの後に、第１ＰＵＣＣＨ及び前記第２ＰＵＣＣＨの他方を伝送することであってもよい。補完伝送が行われるため、反復伝送の回数が保証され、端末の伝送性能が保証される。
【００３６】
上記の前記第１ＰＵＣＣＨ及び前記第２ＰＵＣＣＨの他方の伝送を破棄するのは、上記衝突スロットの後に、第１ＰＵＣＣＨ及び前記第２ＰＵＣＣＨの他方を伝送せず、即ち前記第１ＰＵＣＣＨ及び前記第２ＰＵＣＣＨの他方のすべての伝送を破棄する。
【００３７】
選択的に、前記設定に前記搬送内容の優先度が含まれると、前記第１ＰＵＣＣＨ及び前記第２ＰＵＣＣＨの一方を衝突スロット内で伝送することは、前記第１ＰＵＣＣＨ及び前記第２ＰＵＣＣＨのうち、搬送内容の優先度が高いＰＵＣＣＨを衝突スロット内で伝送することを含み、前記第１ＰＵＣＣＨ及び前記第２ＰＵＣＣＨの他方の伝送を遅延させるか、又は前記第１ＰＵＣＣＨ及び前記第２ＰＵＣＣＨの他方を前記衝突スロット内で破棄することは、前記第１ＰＵＣＣＨ及び前記第２ＰＵＣＣＨのうち、搬送内容の優先度が低いＰＵＣＣＨの伝送を遅延させるか、又は、前記第１ＰＵＣＣＨ及び前記第２ＰＵＣＣＨのうち、搬送内容の優先度が低いＰＵＣＣＨを前記衝突スロット内で破棄することを含む。
【００３８】
本実施形態において、衝突スロット内で優先度の高いＰＵＣＣＨを伝送し、優先度の低いＰＵＣＣＨを破棄し又はその伝送を遅延させることが実現できる。ここでの破棄は、端末が優先度の低いＰＵＣＣＨを破棄することを選択し、且つ優先度の低いＰＵＣＣＨの伝送を遅延させないと理解されてもよい。もちろん、本実施形態において、いくつかのシナリオでは、優先度の低いＰＵＣＣＨの伝送を遅延させてもよい。
【００３９】
優先度の高いＰＵＣＣＨを伝送し、優先度の低いＰＵＣＣＨを破棄することで、ＰＵＣＣＨ衝突を解決して端末の伝送性能を向上させることができる。
【００４０】
また、本実施形態において、ＳＲの優先度がＣＳＩの優先度より高く、及び／又は、２つのＣＳＩの優先度は、予め定義された優先度規則で決められる。
【００４１】
ここで、上記優先度規則は、プロトコルで定義された優先度規則であってもよい。例えば、ＣＳＩ間の優先度は、プロトコルで定義されている優先度規則にフォロー（ｆｏｌｌｏｗ）する。
【００４２】
もちろん、本開示の実施例において、いくつかの実施形態では、ＣＳＩの優先度がＳＲの優先度よりも大きいことが定義されてもよい。
【００４３】
選択的に、前記設定に前記搬送内容の周期が含まれると、前記第１ＰＵＣＣＨ及び前記第２ＰＵＣＣＨの一方を衝突スロット内で伝送することは、前記第１ＰＵＣＣＨ及び前記第２ＰＵＣＣＨのうち、搬送内容の周期が短いＰＵＣＣＨを衝突スロット内で伝送することを含み、前記第１ＰＵＣＣＨ及び前記第２ＰＵＣＣＨの他方の伝送を遅延させるか、又は、前記第１ＰＵＣＣＨ及び前記第２ＰＵＣＣＨの他方を前記衝突スロット内で破棄することは、前記第１ＰＵＣＣＨ及び前記第２ＰＵＣＣＨのうち、搬送内容の周期が長いＰＵＣＣＨの伝送を遅延させるか、又は、前記第１ＰＵＣＣＨ及び前記第２ＰＵＣＣＨのうち、搬送内容の周期が長いＰＵＣＣＨを前記衝突スロット内で破棄することを含む。
【００４４】
本実施形態において、衝突スロット内で周期の短いＰＵＣＣＨを伝送し、周期の長いＰＵＣＣＨを破棄し又はその伝送を遅延させることが実現できる。ここでの破棄は、端末が周期の長いＰＵＣＣＨを破棄することを選択し、且つ周期の長いＰＵＣＣＨの伝送を遅延させないと理解されてもよい。もちろん、本実施形態において、いくつかのシナリオでは、周期の長いＰＵＣＣＨの伝送を遅延させてもよい。
【００４５】
周期の短いＰＵＣＣＨを伝送し、周期の長いＰＵＣＣＨを破棄することにより、端末の伝送性能を向上させることができる。
【００４６】
選択的に、前記設定に前記開始時間が含まれると、前記第１ＰＵＣＣＨ及び前記第２ＰＵＣＣＨの一方を衝突スロット内で伝送することは、前記第１ＰＵＣＣＨ及び前記第２ＰＵＣＣＨのうち、開始時間が早いＰＵＣＣＨを衝突スロット内で伝送することを含み、前記第１ＰＵＣＣＨ及び前記第２ＰＵＣＣＨの他方の伝送を遅延させるか、又は、前記第１ＰＵＣＣＨ及び前記第２ＰＵＣＣＨの他方を前記衝突スロット内で破棄することは、前記第１ＰＵＣＣＨ及び前記第２ＰＵＣＣＨのうち、開始時間が遅いＰＵＣＣＨの伝送を遅延させるか、又は、前記第１ＰＵＣＣＨ及び前記第２ＰＵＣＣＨのうち、開始時間が遅いＰＵＣＣＨを前記衝突スロット内で破棄することを含む。
【００４７】
ここで、上記開始時間は、開始シンボルの位置及び開始スロットの位置の少なくとも一方を含む。
【００４８】
本実施形態において、衝突スロット内で開始時間の早いＰＵＣＣＨを伝送し、開始時間の遅いＰＵＣＣＨを破棄し又はその伝送を遅延させることが実現できる。ここでの破棄は、端末が開始時間の遅いＰＵＣＣＨを破棄することを選択し、開始時間の遅いＰＵＣＣＨを遅延させないと理解されてもよい。もちろん、本実施形態において、いくつかのシナリオでは、開始時刻の遅いＰＵＣＣＨの伝送を遅延させてもよい。
【００４９】
開始時間の早いＰＵＣＣＨを伝送し、開始時間の遅いＰＵＣＣＨを破棄することにより、端末の伝送性能を向上させることができる。
【００５０】
選択的に、前記第１ＰＵＣＣＨ及び前記第２ＰＵＣＣＨの少なくとも一方の設定は、前記第２ＰＵＣＣＨの設定であり、且つ該設定に前記フォーマットが含まれる。ここで、前記第２ＰＵＣＣＨのフォーマットがフォーマット０又はフォーマット２である場合、前記第１ＰＵＣＣＨ及び前記第２ＰＵＣＣＨの一方を衝突スロット内で伝送することは、前記第２ＰＵＣＣＨを衝突スロット内で伝送することを含み、前記第１ＰＵＣＣＨ及び前記第２ＰＵＣＣＨの他方の伝送を遅延させるか、又は、前記第１ＰＵＣＣＨ及び前記第２ＰＵＣＣＨの他方を前記衝突スロット内で破棄することは、前記第１ＰＵＣＣＨの伝送を遅延させるか、又は、前記第１ＰＵＣＣＨを前記衝突スロット内で破棄することを含む。
【００５１】
本実施形態において、第２ＰＵＣＣＨのフォーマットがフォーマット０又はフォーマット２である場合、第２ＰＵＣＣＨを伝送し、前記第１ＰＵＣＣＨを破棄し又はその伝送を遅延させることが実現でき、長さの短いＰＵＣＣＨが可能な限り早く伝送されることを保証して端末の伝送性能を向上させる。
【００５２】
また、本実施形態において、前記設定にフォーマットが含まれ、且つ前記第２ＰＵＣＣＨのフォーマットがフォーマット０でなく、且つフォーマット２でない場合、第１ＰＵＣＣＨ及び第２ＰＵＣＣＨの搬送内容の優先度、搬送内容の周期、開始時間又は伝送モードに基づいて、衝突スロット内で伝送されるＰＵＣＣＨを決定し、破棄され又はその伝送が遅延するＰＵＣＣＨを決定することもできる。具体的には、上記の説明を参照し、ここで繰り返して述べない。
【００５３】
選択的に、前記第１ＰＵＣＣＨ及び前記第２ＰＵＣＣＨの少なくとも一方の設定は、前記第２ＰＵＣＣＨの設定であり、且つ該設定に前記伝送モードが含まれる。ここで、前記第２ＰＵＣＣＨの伝送モードがシングルスロット伝送である場合、前記第１ＰＵＣＣＨ及び前記第２ＰＵＣＣＨの一方を衝突スロット内で伝送することは、前記第２ＰＵＣＣＨを衝突スロット内で伝送することを含み、前記第１ＰＵＣＣＨ及び前記第２ＰＵＣＣＨの他方の伝送を遅延させるか、又は、前記第１ＰＵＣＣＨ及び前記第２ＰＵＣＣＨの他方を前記衝突スロット内で破棄することは、前記第１ＰＵＣＣＨの伝送を遅延させるか、又は、前記第１ＰＵＣＣＨを前記衝突スロット内で破棄することを含む。
【００５４】
本実施形態において、第２ＰＵＣＣＨの伝送モードに基づいて、衝突スロット内で伝送されるＰＵＣＣＨ、及び、破棄され又はその伝送が遅延するＰＵＣＣＨを決定することが実現できる。
【００５５】
第２ＰＵＣＣＨの伝送モードがシングルスロット伝送であり、衝突スロット内で第２ＰＵＣＣＨを伝送し、第１ＰＵＣＣＨを破棄し又はその伝送を遅延させるので、端末の伝送性能を保証することができる。なぜなら、第１ＰＵＣＣＨがマルチスロットＰＵＣＣＨ反復であるため、破棄され又はその伝送が遅延した後、第１ＰＵＣＣＨが一定の保証を受けることができるからである。
【００５６】
また、前記第２ＰＵＣＣＨの伝送モードがマルチスロット伝送である場合、第１ＰＵＣＣＨ及び第２ＰＵＣＣＨの搬送内容の優先度、搬送内容の周期、開始時間又はフォーマットに基づいて、衝突スロット内で伝送されるＰＵＣＣＨ、及び、破棄され又はその伝送が遅延するＰＵＣＣＨを決定することができる。具体的には、上記の説明を参照して、ここで繰り返して述べない。
【００５７】
なお、上記の様々な実施形態は、いずれも、上記設定に搬送内容の優先度、搬送内容の周期、開始時間、フォーマット又は伝送モードが含まれる場合に対して例を挙げて説明した。本開示の実施例において、上記衝突スロット内で伝送する方式は、以下の方式を更に含む。第１ＰＵＣＣＨの開始時間と第２ＰＵＣＣＨの開始時間が同じである場合、搬送内容の優先度に基づいて、優先度の高いＰＵＣＣＨ伝送を選択して伝送し、優先度の低いＰＵＣＣＨを破棄し又はその伝送を遅延させたり、フォーマット又は伝送モードに基づいて、衝突スロット内で伝送されるＰＵＣＣＨを決定したりするが、これについて、限定しない。
【００５８】
更に、本開示の実施例において、第１ＰＵＣＣＨがマルチスロットＰＵＣＣＨであり、搬送内容にＣＳＩが含まれ、第２ＰＵＣＣＨがマルチスロットＰＵＣＣＨであり、搬送内容にＳＲが含まれる。第１及び第２ＰＵＣＣＨの開始スロット及び反復回数が同じであれば、反復スロット毎にＣＳＩとＳＲをｓｉｎｇｌｅ−ｓｌｏｔ方式で処理し、即ち、ＳＲを第１ＰＵＣＣＨ（又は搬送内容にＣＳＩが含まれるＰＵＣＣＨ）に多重化することにより、端末の伝送性能を向上させることができる。
【００５９】
また、第１ＰＵＣＣＨがマルチスロットＰＵＣＣＨであり、搬送内容にＣＳＩ  １が含まれ、第２ＰＵＣＣＨがマルチスロットＰＵＣＣＨであり、搬送内容にＣＳＩ  ２が含まれる。第１及び第２ＰＵＣＣＨの開始スロット及び反復回数が同じであれば、反復スロット毎にＣＳＩ  １及びＣＳＩ  ２をｓｉｎｇｌｅ−ｓｌｏｔ方式で処理する。即ち、ｍｕｌｔｉ−ＣＳＩ−ＰＵＣＣＨリソースが設定される場合、ＣＳＩ  １とＣＳＩ  ２は、ｍｕｌｔｉ−ＣＳＩ−ＰＵＣＣＨリソースに多重化されて伝送される。ｍｕｌｔｉ−ＣＳＩ−ＰＵＣＣＨリソースが設定されなければ、優先度に基づいて、ＣＳＩ優先度の高いＰＵＣＣＨ及びそのＣＳＩを伝送してもよい。
【００６０】
本開示の実施例において、上記で紹介した実施形態により、ＰＵＣＣＨ衝突の問題を解決し、通信の有効性及び端末の性能を向上させ、端末と基地局間の曖昧問題を回避するなどの効果を達成することができる。例えば、本開示の実施例において、ＣＳＩ／ＳＲを伝送するマルチスロットＰＵＣＣＨ反復（例えば、上記第１  ＰＵＣＣＨ）が伝送中に他のＣＳＩ／ＳＲ  ＰＵＣＣＨ（例えば、上記第２ＰＵＣＣＨ）と衝突する際の端末（例えば、ＵＥ）の挙動を定義し、端末と基地局間の曖昧問題を回避する。
【００６１】
本開示の一部の実施例によれば、ＣＳＩ／ＳＲを伝送するマルチスロットＰＵＣＣＨ反復が伝送中に他のＣＳＩ／ＳＲ  ＰＵＣＣＨと衝突する場合、端末は、上り制御情報ＵＣＩ（Ｕｐｌｉｎｋ  Ｃｏｎｔｒｏｌ  Ｉｎｆｏｒｍａｔｉｏｎ）優先度に基づいて、優先度の高いＵＣＩが搬送されるチャネルを伝送し、優先度の低いチャネルを破棄し又はその伝送を遅延させる。ここで、優先度判定としてＳＲ＞ＣＳＩであり、ＣＳＩ内部では、関連技術における優先度規則にフォロー（ｆｏｌｌｏｗ）する。
【００６２】
本開示の一部の実施例によれば、ＣＳＩを伝送するマルチスロットＰＵＣＣＨ反復が伝送中に別のＣＳＩ／ＳＲ  ＰＵＣＣＨと衝突すると、端末は、ＵＣＩの周期に基づいて、周期の短いチャネルを伝送し、周期の長いチャネルを破棄し又はその伝送を遅延させる。ＵＣＩがＳＲであれば、ＵＣＩの周期は、ＳＲの周期を指すが、ＵＣＩがＣＳＩであれば、ＵＣＩの周期は、ＣＳＩの周期を指す。
【００６３】
本開示の一部の実施例によれば、ＣＳＩ／ＳＲを伝送するマルチスロットＰＵＣＣＨ反復が伝送中に他のＣＳＩ／ＳＲ  ＰＵＣＣＨと衝突する場合、端末は、伝送時間の前後順に基づいて、開始時間の早いチャネルを伝送し、開始時間の遅いチャネルを破棄し又はその伝送を遅延させる。ここでは、開始時間は、開始シンボルの位置及び開始スロット番号の少なくとも一方であってもよい。本開示の一部の実施例によれば、ＣＳＩ／ＳＲを伝送するマルチスロット第１ＰＵＣＣＨ反復が伝送中に別のＣＳＩ／ＳＲ第２ＰＵＣＣＨと衝突するとき、端末は、ＰＵＣＣＨフォーマットに基づいて伝送する。第２ＣＳＩ／ＳＲ  ＰＵＣＣＨがフォーマット０又はフォーマット２である場合、端末は、ＣＳＩ／ＳＲを伝送するマルチスロットＰＵＣＣＨ反復の伝送を衝突スロットで遅延させ、別のＣＳＩ／ＳＲ  ＰＵＣＣＨを伝送する。又は、端末は、ＣＳＩ／ＳＲを伝送するマルチスロットＰＵＣＣＨ反復の伝送を衝突スロットで破棄する。そうでなければ、端末は、第２ＣＳＩ／ＳＲ  ＰＵＣＣＨを破棄し、ＣＳＩ／ＳＲを伝送するマルチスロットＰＵＣＣＨ反復を伝送する。
【００６４】
本開示の一部の実施例によれば、ＣＳＩ／ＳＲを伝送するマルチスロットＰＵＣＣＨ反復が伝送中に別のＣＳＩ／ＳＲ  ＰＵＣＣＨと衝突する場合、端末は、別のＣＳＩ／ＳＲ  ＰＵＣＣＨがマルチスロットであるか否かに応じて伝送する。他のＣＳＩ／ＳＲ  ＰＵＣＣＨがｓｉｎｇｌｅ−ｓｌｏｔである場合、端末は、ＣＳＩ／ＳＲを伝送するマルチスロットＰＵＣＣＨ反復の伝送を衝突スロットで遅延させ、他のＣＳＩ／ＳＲ  ＰＵＣＣＨを伝送する。他のＣＳＩ／ＳＲ  ＰＵＣＣＨがｓｉｎｇｌｅ−ｓｌｏｔである場合、端末は、ＣＳＩ／ＳＲを伝送するマルチスロットＰＵＣＣＨ反復の伝送を衝突スロットで破棄し、他のＣＳＩ／ＳＲ  ＰＵＣＣＨを伝送する。そうでなければ、端末は、他のＣＳＩ／ＳＲ  ＰＵＣＣＨを破棄し、ＣＳＩ／ＳＲを伝送するマルチスロットＰＵＣＣＨ反復を伝送する。
【００６５】
本開示の実施例において、マルチスロットのｃｏｎｆｉｇｕｒｅｄ  ＰＵＣＣＨ  ｔｒａｎｓｍｉｓｓｉｏｎとｃｏｎｆｉｇｕｒｅｄ  ＰＵＣＣＨ  ｔｒａｎｓｍｉｓｓｉｏｎが衝突するときの端末の伝送挙動を標準化する。
【００６６】
図３を参照すると、図３は、本開示の実施例に係る端末の構造図である。図３に示すように、端末３００は、マルチスロットＰＵＣＣＨ反復伝送に設定されて且つ搬送内容にＣＳＩ及びＳＲの一方が含まれる第１ＰＵＣＣＨと、搬送内容にＣＳＩ又はＳＲの一方が含まれる第２ＰＵＣＣＨとは衝突すると、前記第１ＰＵＣＣＨ及び前記第２ＰＵＣＣＨの少なくとも一方の設定に基づいて、前記第１ＰＵＣＣＨ及び前記第２ＰＵＣＣＨの一方を衝突スロット内で伝送する伝送モジュール３０１を含む。
【００６７】
選択的に、前記設定は、搬送内容の優先度、搬送内容の周期、開始時間、フォーマット及び伝送モードの少なくとも一方を含む。
【００６８】
選択的に、前記第１ＰＵＣＣＨ及び前記第２ＰＵＣＣＨの他方の伝送を遅延させるか、又は、前記第１ＰＵＣＣＨ及び前記第２ＰＵＣＣＨの他方を前記衝突スロット内で破棄する。
【００６９】
選択的に、前記設定に前記搬送内容の優先度が含まれると、前記第１ＰＵＣＣＨ及び前記第２ＰＵＣＣＨの一方を衝突スロット内で伝送することは、前記第１ＰＵＣＣＨ及び前記第２ＰＵＣＣＨのうち、搬送内容の優先度が高いＰＵＣＣＨを衝突スロット内で伝送することを含み、前記第１ＰＵＣＣＨ及び前記第２ＰＵＣＣＨの他方の伝送を遅延させるか、又は、前記第１ＰＵＣＣＨ及び前記第２ＰＵＣＣＨの他方を前記衝突スロット内で破棄することは、前記第１ＰＵＣＣＨ及び前記第２ＰＵＣＣＨのうち、搬送内容の優先度が低いＰＵＣＣＨの伝送を遅延させるか、又は、前記第１ＰＵＣＣＨ及び前記第２ＰＵＣＣＨのうち、搬送内容の優先度が低いＰＵＣＣＨを前記衝突スロット内で破棄することを含む。
【００７０】
選択的に、ＳＲの優先度がＣＳＩの優先度よりも高く、及び／又は、２つのＣＳＩの優先度は、予め定義された優先度規則で決められる。
【００７１】
選択的に、前記設定に前記搬送内容の周期が含まれると、前記第１ＰＵＣＣＨ及び前記第２ＰＵＣＣＨの一方を衝突スロット内で伝送することは、前記第１ＰＵＣＣＨ及び前記第２ＰＵＣＣＨのうち、搬送内容の周期が短いＰＵＣＣＨを衝突スロット内で伝送することを含み、前記第１ＰＵＣＣＨ及び前記第２ＰＵＣＣＨの他方の伝送を遅延させるか、又は、前記第１ＰＵＣＣＨ及び前記第２ＰＵＣＣＨの他方を前記衝突スロット内で破棄することは、前記第１ＰＵＣＣＨ及び前記第２ＰＵＣＣＨのうち、搬送内容の周期が長いＰＵＣＣＨの伝送を遅延させるか、又は、前記第１ＰＵＣＣＨ及び前記第２ＰＵＣＣＨのうち、搬送内容の周期が長いＰＵＣＣＨを前記衝突スロット内で破棄することを含む。
【００７２】
選択的に、前記設定に前記開始時間が含まれると、前記第１ＰＵＣＣＨ及び前記第２ＰＵＣＣＨの一方を衝突スロット内で伝送することは、前記第１ＰＵＣＣＨ及び前記第２ＰＵＣＣＨのうち、開始時間が早いＰＵＣＣＨを衝突スロット内で伝送することを含み、前記第１ＰＵＣＣＨ及び前記第２ＰＵＣＣＨの他方の伝送を遅延させるか、又は、前記第１ＰＵＣＣＨ及び前記第２ＰＵＣＣＨの他方を前記衝突スロット内で破棄することは、前記第１ＰＵＣＣＨ及び前記第２ＰＵＣＣＨのうち、開始時間が遅いＰＵＣＣＨの伝送を遅延させるか、又は、前記第１ＰＵＣＣＨ及び前記第２ＰＵＣＣＨのうち、開始時間が遅いＰＵＣＣＨを前記衝突スロット内で破棄することを含む。
【００７３】
選択的に、前記開始時間は、開始シンボルの位置及び開始スロットの位置の少なくとも一方を含む。
【００７４】
選択的に、前記第１ＰＵＣＣＨ及び前記第２ＰＵＣＣＨの少なくとも一方の設定は、前記第２ＰＵＣＣＨの設定であり、且つ該設定に前記フォーマットが含まれる。ここで、前記第２ＰＵＣＣＨのフォーマットがフォーマット０又はフォーマット２である場合、前記第１ＰＵＣＣＨ及び前記第２ＰＵＣＣＨの一方を衝突スロット内で伝送することは、前記第２ＰＵＣＣＨを衝突スロット内で伝送することを含み、前記第１ＰＵＣＣＨ及び前記第２ＰＵＣＣＨの他方の伝送を遅延させるか、又は、前記第１ＰＵＣＣＨ及び前記第２ＰＵＣＣＨの他方を前記衝突スロット内で破棄することは、前記第１ＰＵＣＣＨの伝送を遅延させるか、又は、前記第１ＰＵＣＣＨを前記衝突スロット内で破棄することを含む。
【００７５】
選択的に、前記第１ＰＵＣＣＨ及び前記第２ＰＵＣＣＨの少なくとも一方の設定は、前記第２ＰＵＣＣＨの設定であり、且つ該設定に前記伝送モードが含まれる。ここで、前記第２ＰＵＣＣＨの伝送モードがシングルスロット伝送である場合、前記第１ＰＵＣＣＨ及び前記第２ＰＵＣＣＨの一方を衝突スロット内で伝送することは、前記第２ＰＵＣＣＨを衝突スロット内で伝送することを含み、前記第１ＰＵＣＣＨ及び前記第２ＰＵＣＣＨの他方の伝送を遅延させるか、又は、前記第１ＰＵＣＣＨ及び前記第２ＰＵＣＣＨの他方を前記衝突スロット内で破棄することは、前記第１ＰＵＣＣＨの伝送を遅延させるか、又は、前記第１ＰＵＣＣＨを前記衝突スロット内で破棄することを含む。
【００７６】
本開示の実施例に係る端末は、図２の方法の実施例で端末によって実現される各手順を実現することができ、重複を避けるために、ここでは繰り返して述べず、通信の有効性及び端末の性能を向上させることができる。
【００７７】
図４は、本開示の各実施例を実現する端末のハードウェア構造図である。該端末４００は、ラジオ周波数ユニット４０１と、ネットワークモジュール４０２と、音声出力ユニット４０３と、入力ユニット４０４と、センサ４０５と、表示ユニット４０６と、ユーザ入力ユニット４０７と、インタフェースユニット４０８と、メモリ４０９と、プロセッサ４１０と、電源４１１となどの構成要素を含むが、それらに限定されない。図４に示される端末の構造は、端末を限定するものではなく、端末は、図示されるよりも多い又は少ない構成要素を含むことができ、又は特定の構成要素を組み合わせることができ、又は異なる構成要素の配置を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【００７８】
ラジオ周波数ユニット４０１は、マルチスロットＰＵＣＣＨ反復伝送に設定されて且つ搬送内容にＣＳＩ及びＳＲの一方が含まれる第１ＰＵＣＣＨと、搬送内容にＣＳＩ又はＳＲの一方が含まれる第２ＰＵＣＣＨとは衝突すると、前記第１ＰＵＣＣＨ及び前記第２ＰＵＣＣＨの少なくとも一方の設定に基づいて、前記第１ＰＵＣＣＨ及び前記第２ＰＵＣＣＨの一方を衝突スロット内で伝送する。
【００７９】
選択的に、前記設定は、搬送内容の優先度、搬送内容の周期、開始時間、フォーマットフォーマット及び伝送モードの少なくとも一方を含む。
【００８０】
選択的に、前記第１ＰＵＣＣＨ及び前記第２ＰＵＣＣＨの他方の伝送を遅延させるか、又は、前記第１ＰＵＣＣＨ及び前記第２ＰＵＣＣＨの他方を前記衝突スロット内で破棄する。
【００８１】
選択的に、前記設定に前記搬送内容の優先度が含まれると、前記第１ＰＵＣＣＨ及び前記第２ＰＵＣＣＨの一方を衝突スロット内で伝送することは、前記第１ＰＵＣＣＨ及び前記第２ＰＵＣＣＨのうち、搬送内容の優先度が高いＰＵＣＣＨを衝突スロット内で伝送することを含み、前記第１ＰＵＣＣＨ及び前記第２ＰＵＣＣＨの他方の伝送を遅延させるか、又は、前記第１ＰＵＣＣＨ及び前記第２ＰＵＣＣＨの他方を前記衝突スロット内で破棄することは、前記第１ＰＵＣＣＨ及び前記第２ＰＵＣＣＨのうち、搬送内容の優先度が低いＰＵＣＣＨの伝送を遅延させるか、又は、前記第１ＰＵＣＣＨ及び前記第２ＰＵＣＣＨのうち、搬送内容の優先度が低いＰＵＣＣＨを前記衝突スロット内で破棄することを含む。
【００８２】
選択的に、ＳＲの優先度がＣＳＩの優先度よりも高く、及び／又は、２つのＣＳＩの優先度は、予め定義された優先度規則で決められる。
【００８３】
選択的に、前記設定に前記搬送内容の周期が含まれると、前記第１ＰＵＣＣＨ及び前記第２ＰＵＣＣＨの一方を衝突スロット内で伝送することは、前記第１ＰＵＣＣＨ及び前記第２ＰＵＣＣＨのうち、搬送内容の周期が短いＰＵＣＣＨを衝突スロット内で伝送することを含み、前記第１ＰＵＣＣＨ及び前記第２ＰＵＣＣＨの他方の伝送を遅延させるか、又は、前記第１ＰＵＣＣＨ及び前記第２ＰＵＣＣＨの他方を前記衝突スロット内で破棄することは、前記第１ＰＵＣＣＨ及び前記第２ＰＵＣＣＨのうち、搬送内容の周期が長いＰＵＣＣＨの伝送を遅延させるか、又は、前記第１ＰＵＣＣＨ及び前記第２ＰＵＣＣＨのうち、搬送内容の周期が長いＰＵＣＣＨを前記衝突スロット内で破棄することを含む。
【００８４】
選択的に、前記設定に前記開始時間が含まれると、前記第１ＰＵＣＣＨ及び前記第２ＰＵＣＣＨの一方を衝突スロット内で伝送することは、前記第１ＰＵＣＣＨ及び前記第２ＰＵＣＣＨのうち、開始時間が早いＰＵＣＣＨを衝突スロット内で伝送することを含む。前記第１ＰＵＣＣＨ及び前記第２ＰＵＣＣＨの他方の伝送を遅延させるか、又は、前記第１ＰＵＣＣＨ及び前記第２ＰＵＣＣＨの他方を前記衝突スロット内で破棄することは、前記第１ＰＵＣＣＨ及び前記第２ＰＵＣＣＨのうち、開始時間が遅いＰＵＣＣＨの伝送を遅延させるか、又は、前記第１ＰＵＣＣＨ及び前記第２ＰＵＣＣＨのうち、開始時間が遅いＰＵＣＣＨを前記衝突スロット内で破棄することを含む。
【００８５】
選択的に、前記開始時間は、開始シンボルの位置及び開始スロットの位置の少なくとも一方を含む。
【００８６】
選択的に、前記第１ＰＵＣＣＨ及び前記第２ＰＵＣＣＨの少なくとも一方の設定は、前記第２ＰＵＣＣＨの設定であり、且つ該設定に前記フォーマットが含まれる。ここで、前記第２ＰＵＣＣＨのフォーマットがフォーマット０又はフォーマット２である場合、前記第１ＰＵＣＣＨ及び前記第２ＰＵＣＣＨの一方を衝突スロット内で伝送することは、前記第２ＰＵＣＣＨを衝突スロット内で伝送することを含む。前記第１ＰＵＣＣＨ及び前記第２ＰＵＣＣＨの他方の伝送を遅延させるか、又は、前記第１ＰＵＣＣＨ及び前記第２ＰＵＣＣＨの他方を前記衝突スロット内で破棄することは、前記第１ＰＵＣＣＨの伝送を遅延させるか、又は、前記第１ＰＵＣＣＨを前記衝突スロット内で破棄することを含む。
【００８７】
選択的に、前記第１ＰＵＣＣＨ及び前記第２ＰＵＣＣＨの少なくとも一方の設定は、前記第２ＰＵＣＣＨの設定であり、且つ該設定に前記伝送モードが含まれる。ここで、前記第２ＰＵＣＣＨの伝送モードがシングルスロット伝送である場合、前記第１ＰＵＣＣＨ及び前記第２ＰＵＣＣＨの一方を衝突スロット内で伝送することは、前記第２ＰＵＣＣＨを衝突スロット内で伝送することを含み、前記第１ＰＵＣＣＨ及び前記第２ＰＵＣＣＨの他方の伝送を遅延させるか、又は、前記第１ＰＵＣＣＨ及び前記第２ＰＵＣＣＨの他方を前記衝突スロット内で破棄することは、前記第１ＰＵＣＣＨの伝送を遅延させるか、又は、前記第１ＰＵＣＣＨを前記衝突スロット内で破棄することを含む。
【００８８】
上記端末によれば、通信の有効性及び端末の性能を向上させることができる。
【００８９】
なお、本開示の実施例において、ラジオ周波数ユニット４０１は、情報の送受信又は通話中で信号の送受信に用いられ、具体的に、基地局からの下りデータを受信した後、プロセッサ４１０による処理に供し、また、上りデータを基地局に送信する。一般に、ラジオ周波数ユニット４０１は、アンテナ、少なくとも１つの増幅器、トランシーバ、結合器、低雑音増幅器、デュプレクサなどを含むが、それらに限定されない。また、ラジオ周波数ユニット４０１は、無線通信システムを介してネットワークや他の機器と通信を行うこともできる。
【００９０】
端末は、ネットワークモジュール４０２を介して、電子メールの送受信、ウェブページの閲覧、ストリーミングメディアへのアクセスをサポートするなど、無線ブロードバンドインターネットアクセスをユーザに提供する。
【００９１】
音声出力ユニット４０３は、ラジオ周波数ユニット４０１やネットワークモジュール４０２が受信した音声データや、メモリ４０９に記憶された音声データを音声信号に変換して音声として出力することができる。また、音声出力ユニット４０３は、端末４００が実行する特定の機能に関する音声（例えば、呼出信号着信音、メッセージ着信音等）を出力してもよい。音声出力ユニット４０３は、スピーカ、ブザー及びレシーバなどを含む。
【００９２】
入力ユニット４０４は、音声や映像の信号を受信することに用いられる。入力ユニット４０４は、ビデオキャプチャモード又は画像キャプチャモードでカメラなどの画像キャプチャ装置によって取得された静止画又は動画の画像データを処理するＧＰＵ（Ｇｒａｐｈｉｃｓ  Ｐｒｏｃｅｓｓｉｎｇ  Ｕｎｉｔ）４０４１と、マイク４０４２とを含む。処理された画像フレームは、表示ユニット４０６上に表示され得る。グラフィックスプロセッサ４０４１で処理された画像フレームは、メモリ４０９（又は他の記憶媒体）に記憶され得るか、又はラジオ周波数ユニット４０１又はネットワークモジュール４０２を介して送信され得る。マイク４０４２は、音声を受信し、音声データに加工することができる。処理された音声データは、電話通話モードの場合、ラジオ周波数ユニット４０１を介して移動体通信基地局に送信可能な形式に変換して出力することができる。
【００９３】
端末４００は、光センサ、モーションセンサ及び他のセンサのような少なくとも１つのセンサ４０５を更に含む。具体的には、光センサは、周辺光センサ及び近接センサを含む。周辺光センサは、周辺光の明暗に応じて表示パネル４０６１の輝度を調節し、近接センサは、端末４００が耳に移動したときに表示パネル４０６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横スクリーン切替、関連ゲーム、磁力計姿勢キャリブレーション）、振動認識関連機能（たとえば、歩数計、ストローク）などに用いることができる。センサ４０５は、指紋センサ、圧力センサ、虹彩センサ、分子センサ、ジャイロスコープ、気圧計、湿度計、温度計、赤外線センサなどを更に含むことができるが、ここでは枚挙しない。
【００９４】
表示ユニット４０６は、ユーザが入力した情報やユーザに提供した情報を表示するために用いられる。表示ユニット４０６は、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）などからなる表示パネル４０６１を含んでもよい。
【００９５】
ユーザ入力ユニット４０７は、入力した数字や文字情報を受け付け、ユーザによる端末の設定や機能制御に関するキー信号の入力を生成ことに用いられる。具体的に、ユーザ入力ユニット４０７は、タッチスクリーン４０７１と、その他の入力機器４０７２とを含む。タッチスクリーン４０７１は、その上又は付近でのユーザのタッチ動作を取得可能である（たとえばユーザが指やスタイラスなどの任意の適切な物体や付属部材を用いたタッチスクリーン４０７１の上又はタッチスクリーン４０７１の付近での動作）。タッチスクリーン４０７１は、タッチ検出装置とタッチコントローラの２つの部分を含む。ここで、タッチ検出装置は、ユーザのタッチ方位を検出し、タッチ動作による信号を検出してタッチコントローラに伝達する。タッチコントローラは、タッチ検出装置からのタッチ情報を受信し、それを接点座標に変換してプロセッサ４１０に送り、プロセッサ４１０からの命令を受信して実行する。なお、タッチスクリーン４０７１は、抵抗膜式、静電容量式、赤外線、表面弾性波など、種々の方式を用いて実現することができる。ユーザ入力ユニット４０７は、タッチスクリーン４０７１の他に、他の入力機器４０７２を含んでもよい。具体的に、他の入力機器４０７２は、物理的なキーボード、機能キー（例えば、音量調節キー、スイッチキーなど）、トラックボール、マウス、レバーを含むが、ここでは枚挙しない。
【００９６】
更に、タッチスクリーン４０７１は、表示パネル４０６１に重ねられる。タッチスクリーン４０７１は、その上又はその近くでタッチ動作を検出すると、プロセッサ４１０に送信して、タッチ事象のタイプを特定する。次いで、プロセッサ４１０は、タッチ事象のタイプに応じて、対応する視覚的出力を表示パネル４０６１に提供する。図４では、タッチスクリーン４０７１と表示パネル４０６１は、独立した２つの部品として端末の入出力機能を実現するが、実施例によっては、タッチスクリーン４０７１と表示パネル４０６１を一体化して端末の入出力機能を実現することもでき、具体的にここでは限定しない。
【００９７】
インタフェースユニット４０８は、外部装置と端末４００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インタフェースユニット４０８は、外部装置から入力（たとえば、データ情報、電力など）を受信し、受信した入力を端末４００内の１つ以上のユニットに伝送するために使用されてもよく、又は端末４００と外部装置との間でデータを伝送するために使用されてもよい。
【００９８】
メモリ４０９は、ソフトウェアプログラム及び様々なデータを記憶するために使用される。メモリ４０９は、オペレーティングシステム、少なくとも１つの機能に必要なアプリケーション（たとえば、音声再生機能、画像再生機能など）などを記憶することができるプログラム記憶領域と、データ記憶領域とを主に含んでもよい。データ記憶領域は、音声データや電話帳など、携帯電話機の使用に応じて作成されたデータを記憶することができる。更に、メモリ４０９は、高速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【００９９】
プロセッサ４１０は、端末の制御センタであり、各種のインタフェースや回線を用いて端末全体の各部を接続し、メモリ４０９に記憶されたソフトウェアプログラム及び／又はモジュールを実行し、メモリ４０９に記憶されたデータを呼び出して端末の各種機能及びデータ処理を実行し、端末全体の監視を行う。プロセッサ４１０は、１つ以上の処理ユニットを含んでもよい。選択的に、プロセッサ４１０は、オペレーティングシステム、ユーザインタフェース及びアプリケーションなどを主に処理するアプリケーションプロセッサと、ワイヤレス通信を主に処理するモデムプロセッサとを統合することができる。上述のモデムプロセッサは、プロセッサ４１０に統合されなくてもよいことが理解される。
【０１００】
端末４００は、各構成要素に電力を供給するためのバッテリのような電源４１１を更に含んでもよい。選択的に、電源４１１は、電源管理システムを介してプロセッサ４１０に論理的に接続されてもよく、電源管理システムを介して充電、放電、及び消費電力管理などを管理する機能を実現してもよい。
【０１０１】
また、端末４００は、図示しない機能モジュールを更に含んでもよく、ここでの説明は省略する。
【０１０２】
選択的に、本開示の実施例は、プロセッサ４１０と、メモリ４０９と、メモリ４０９に記憶されて前記プロセッサ４１０で動作可能なコンピュータプログラムを含む端末を更に提供し、該コンピュータプログラムがプロセッサ４１０によって実行されると、上記ＰＵＣＣＨ衝突の処理方法の実施例の各手順が実現され、且つ同じ効果を奏することもでき、重複を避けるために、ここでは繰り返して記載しない。
【０１０３】
本開示の実施例は、コンピュータプログラムが記憶されているコンピュータ読み取り可能な記憶媒体を更に提供し、該コンピュータプログラムがプロセッサによって実行されると、本開示の実施例に係るＰＵＣＣＨ衝突の処理方法の実施例の各手順が実現され、且つ同じ技術効果を奏することもできるので、重複を避けるために、ここでは繰り返して記載しない。ここで、前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【０１０４】
なお、本明細書において、「含む」や「含有する」又はそれ以外のあらゆる変形用語は、非排他的な包含を意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。更なる限定がない限り、「・・・を１つ含む」の表現によって限定される要素について、当該要素を含むプロセス、方法、モノ又は装置に他の同一要素の存在を除外しない。
【０１０５】
以上の実施形態の記載から、上記実施例の方法が、ソフトウェアに必須の汎用ハードウェアプラットフォームの形態で実現され、ハードウェアによっても実現されてもよく、多くの場合では前者がより好適な実施形態であることは、当業者にとって自明である。このような理解に基づき、本開示の技術手段の実質的又は従来技術に寄与した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末（携帯電話、コンピュータ、サーバー、空調機又はネットワークデバイスなど）に実行させるいくつかの指令を含む。
【０１０６】
以上、本開示の実施例を図面に基づいて記載したが、本開示は、上記の具体的な実施形態に限定されるものではない。上記の具体的な実施形態は、単に例示的なものであり、限定的なものではない。本開示のヒントを受け、当業者が本開示の趣旨及び特許請求の範囲の保護範囲から逸脱することなくなしえる多くの形態は、すべて本開示の保護範囲に含まれる。
【図１】
2021529486.tif 000003
【図２】
2021529486.tif 000004
【図３】
2021529486.tif 000005
【図４】
2021529486.tif 000006
【手続補正書】
【提出日】令和3年1月25日(2021.1.25)
【手続補正１】
【補正対象書類名】明細書
【補正対象項目名】０００１
【補正方法】変更
【補正の内容】
【０００１】
本開示は、通信技術分野に係り、特にＰＵＣＣＨ（Ｐｈｙｓｉｃａｌ  Ｕｐｌｉｎｋ  Ｃｏｎｔｒｏｌ  Ｃｈａｎｎｅｌ）衝突の処理方法に係る。
【手続補正２】
【補正対象書類名】特許請求の範囲
【補正対象項目名】全文
【補正方法】変更
【補正の内容】
【特許請求の範囲】
【請求項１】
端末に応用されるＰＵＣＣＨ（Ｐｈｙｓｉｃａｌ  Ｕｐｌｉｎｋ  Ｃｏｎｔｒｏｌ  Ｃｈａｎｎｅｌ）衝突の処理方法であって、
マルチスロットＰＵＣＣＨ反復伝送に設定されて且つ搬送内容にＣＳＩ（Ｃｈａｎｎｅｌ  Ｓｔａｔｅ  Ｉｎｆｏｒｍａｔｉｏｎ）及びＳＲ（Ｓｃｈｅｄｕｌｉｎｇ  Ｒｅｑｕｅｓｔ）の一方が含まれる第１ＰＵＣＣＨと、シングルスロット又はマルチスロット反復伝送に設定されて且つ搬送内容にＣＳＩ又はＳＲの一方が含まれる第２ＰＵＣＣＨとは、１つ又は複数のスロットである第１スロット内でオーバーラップすると、前記第１ＰＵＣＣＨ及び前記第２ＰＵＣＣＨの少なくとも一方の設定に基づいて、前記第１ＰＵＣＣＨ及び前記第２ＰＵＣＣＨの一方を前記第１スロット内で伝送することを含む、ＰＵＣＣＨ衝突の処理方法。
【請求項２】
前記設定は、搬送内容の優先度、搬送内容の周期、開始時間、フォーマット及び伝送モードの少なくとも一方を含む、請求項１に記載のＰＵＣＣＨ衝突の処理方法。
【請求項３】
前記第１ＰＵＣＣＨ及び前記第２ＰＵＣＣＨの他方の伝送を遅延させるか、又は前記第１ＰＵＣＣＨ及び前記第２ＰＵＣＣＨの他方を前記衝突スロット内で破棄することを更に含む、請求項２に記載のＰＵＣＣＨ衝突の処理方法。
【請求項４】
前記設定に前記開始時間が含まれると、前記第１ＰＵＣＣＨ及び前記第２ＰＵＣＣＨの一方を衝突スロット内で伝送することは、
前記第１ＰＵＣＣＨ及び前記第２ＰＵＣＣＨの搬送内容の優先度が同じである場合、前記第１ＰＵＣＣＨ及び前記第２ＰＵＣＣＨのうち、開始時間が早いＰＵＣＣＨを衝突スロット内で伝送することを含み、
前記第１ＰＵＣＣＨ及び前記第２ＰＵＣＣＨの他方の伝送を遅延させるか、又は前記第１ＰＵＣＣＨ及び前記第２ＰＵＣＣＨの他方を前記衝突スロット内で破棄することは、
前記第１ＰＵＣＣＨ及び前記第２ＰＵＣＣＨの搬送内容の優先度が同じである場合、前記第１ＰＵＣＣＨ及び前記第２ＰＵＣＣＨのうち、開始時間が遅いＰＵＣＣＨの伝送を遅延させるか、又は前記第１ＰＵＣＣＨ及び前記第２ＰＵＣＣＨのうち、開始時間が遅いＰＵＣＣＨを前記衝突スロット内で破棄することを含み、
前記開始時間は、開始シンボルの位置及び開始スロットの位置の少なくとも一方を含む、請求項３に記載のＰＵＣＣＨ衝突の処理方法。
【請求項５】
前記設定に前記搬送内容の優先度が含まれると、前記第１ＰＵＣＣＨ及び前記第２ＰＵＣＣＨの一方を衝突スロット内で伝送することは、
前記第１ＰＵＣＣＨ及び前記第２ＰＵＣＣＨの搬送内容の優先度が異なる場合、前記第１ＰＵＣＣＨ及び前記第２ＰＵＣＣＨのうち、搬送内容の優先度が高いＰＵＣＣＨを衝突スロット内で伝送することを含み、
前記第１ＰＵＣＣＨ及び前記第２ＰＵＣＣＨの他方の伝送を遅延させるか、又は前記第１ＰＵＣＣＨ及び前記第２ＰＵＣＣＨの他方を前記衝突スロット内で破棄することは、
前記第１ＰＵＣＣＨ及び前記第２ＰＵＣＣＨに搬送される内容の優先度が異なる場合、前記第１ＰＵＣＣＨ及び前記第２ＰＵＣＣＨのうち、搬送内容の優先度が低いＰＵＣＣＨの伝送を遅延させるか、又は前記第１ＰＵＣＣＨ及び前記第２ＰＵＣＣＨのうち、搬送内容の優先度が低いＰＵＣＣＨを前記衝突スロット内で破棄することを含む、請求項３に記載のＰＵＣＣＨ衝突の処理方法。
【請求項６】
ＳＲの優先度がＣＳＩの優先度よりも高く、及び／又は、２つのＣＳＩの優先度は、予め定義された優先度規則で決められる、請求項５に記載のＰＵＣＣＨ衝突の処理方法。
【請求項７】
マルチスロットＰＵＣＣＨ反復伝送に設定されて且つ搬送内容にＣＳＩ及びＳＲの一方が含まれる第１ＰＵＣＣＨと、シングルスロット又はマルチスロット反復伝送に設定されて且つ搬送内容にＣＳＩ又はＳＲの一方が含まれる第２ＰＵＣＣＨとは、１つ又は複数のスロットである第１スロット内でオーバーラップすると、前記第１ＰＵＣＣＨ及び前記第２ＰＵＣＣＨの少なくとも一方の設定に基づいて、前記第１ＰＵＣＣＨ及び前記第２ＰＵＣＣＨの一方を前記第１スロット内で伝送する伝送モジュールを含む、端末。
【請求項８】
前記設定は、搬送内容の優先度、搬送内容の周期、開始時間、フォーマット及び伝送モードの少なくとも一方を含む、請求項７に記載の端末。
【請求項９】
前記伝送モジュールは、さらに、前記第１ＰＵＣＣＨ及び前記第２ＰＵＣＣＨの他方の伝送を遅延させるか、又は前記第１ＰＵＣＣＨ及び前記第２ＰＵＣＣＨの他方を前記衝突スロット内で破棄する、請求項８に記載の端末。
【請求項１０】
前記設定に前記開始時間が含まれると、前記第１ＰＵＣＣＨ及び前記第２ＰＵＣＣＨの一方を衝突スロット内で伝送することは、
前記第１ＰＵＣＣＨ及び前記第２ＰＵＣＣＨの搬送内容の優先度が同じである場合、前記第１ＰＵＣＣＨ及び前記第２ＰＵＣＣＨのうち、開始時間が早いＰＵＣＣＨを衝突スロット内で伝送することを含み、
前記第１ＰＵＣＣＨ及び前記第２ＰＵＣＣＨの他方の伝送を遅延させるか、又は前記第１ＰＵＣＣＨ及び前記第２ＰＵＣＣＨの他方を前記衝突スロット内で破棄することは、
前記第１ＰＵＣＣＨ及び前記第２ＰＵＣＣＨの搬送内容の優先度が同じである場合、前記第１ＰＵＣＣＨ及び前記第２ＰＵＣＣＨのうち、開始時間が遅いＰＵＣＣＨの伝送を遅延させるか、又は前記第１ＰＵＣＣＨ及び前記第２ＰＵＣＣＨのうち、開始時間が遅いＰＵＣＣＨを前記衝突スロット内で破棄することを含み、
前記開始時間は、開始シンボルの位置及び開始スロットの位置の少なくとも一方を含む、請求項９に記載の端末。
【請求項１１】
前記設定に前記搬送内容の優先度が含まれると、前記第１ＰＵＣＣＨ及び前記第２ＰＵＣＣＨの一方を衝突スロット内で伝送することは、
前記第１ＰＵＣＣＨ及び前記第２ＰＵＣＣＨの搬送内容の優先度が異なる場合、前記第１ＰＵＣＣＨ及び前記第２ＰＵＣＣＨのうち、搬送内容の優先度が高いＰＵＣＣＨを衝突スロット内で伝送することを含み、
前記第１ＰＵＣＣＨ及び前記第２ＰＵＣＣＨの他方の伝送を遅延させるか、又は前記第１ＰＵＣＣＨ及び前記第２ＰＵＣＣＨの他方を前記衝突スロット内で破棄することは、
前記第１ＰＵＣＣＨ及び前記第２ＰＵＣＣＨに搬送される内容の優先度が異なる場合、前記第１ＰＵＣＣＨ及び前記第２ＰＵＣＣＨのうち、搬送内容の優先度が低いＰＵＣＣＨの伝送を遅延させるか、又は前記第１ＰＵＣＣＨ及び前記第２ＰＵＣＣＨのうち、搬送内容の優先度が低いＰＵＣＣＨを前記衝突スロット内で破棄することを含む、請求項９に記載の端末。
【請求項１２】
ＳＲの優先度がＣＳＩの優先度よりも高く、及び／又は、２つのＣＳＩの優先度は、予め定義された優先度規則で決められる、請求項１１に記載の端末。
【請求項１３】
前記設定に前記搬送内容の周期が含まれると、前記第１ＰＵＣＣＨ及び前記第２ＰＵＣＣＨの一方を衝突スロット内で伝送することは、
前記第１ＰＵＣＣＨ及び前記第２ＰＵＣＣＨのうち、搬送内容の周期が短いＰＵＣＣＨを衝突スロット内で伝送することを含み、
前記第１ＰＵＣＣＨ及び前記第２ＰＵＣＣＨの他方の伝送を遅延させるか、又は前記第１ＰＵＣＣＨ及び前記第２ＰＵＣＣＨの他方を前記衝突スロット内で破棄することは、
前記第１ＰＵＣＣＨ及び前記第２ＰＵＣＣＨのうち、搬送内容の周期が長いＰＵＣＣＨの伝送を遅延させるか、又は前記第１ＰＵＣＣＨ及び前記第２ＰＵＣＣＨのうち、搬送内容の周期が長いＰＵＣＣＨを前記衝突スロット内で破棄することを含む、請求項９に記載の端末。
【請求項１４】
前記第１ＰＵＣＣＨ及び前記第２ＰＵＣＣＨの少なくとも一方の設定は、前記第２ＰＵＣＣＨの設定であり、且つ該設定に前記フォーマットが含まれ、
ここで、前記第２ＰＵＣＣＨのフォーマットがフォーマット０又はフォーマット２である場合、前記第１ＰＵＣＣＨ及び前記第２ＰＵＣＣＨの一方を衝突スロット内で伝送することは、
前記第２ＰＵＣＣＨを衝突スロット内で伝送することを含み、
前記第１ＰＵＣＣＨ及び前記第２ＰＵＣＣＨの他方の伝送を遅延させるか、又は前記第１ＰＵＣＣＨ及び前記第２ＰＵＣＣＨの他方を前記衝突スロット内で破棄することは、
前記第１ＰＵＣＣＨの伝送を遅延させるか、又は前記第１ＰＵＣＣＨを前記衝突スロット内で破棄することを含む、請求項９に記載の端末。
【請求項１５】
コンピュータプログラムが記憶されているコンピュータ読み取り可能な記憶媒体であって、
前記コンピュータプログラムがプロセッサによって実行されると、請求項１〜６のいずれか１項に記載のＰＵＣＣＨ衝突の処理方法が実現される、コンピュータ読み取り可能な記憶媒体。
【国際調査報告】
2021529486.tif 000007
2021529486.tif 000008
2021529486.tif 000009
2021529486.tif 000010